【手続補正書】
【提出日】平成17年8月1日(2005.8.1)
【手続補正１】
【補正対象書類名】特許請求の範囲
【補正対象項目名】全文
【補正方法】変更
【補正の内容】
【特許請求の範囲】
【請求項１】
体液を吸収するために皮膚に対して又は皮膚の付近で用いるためのエキソプロテイン抑制吸収性物品であって、吸収性材料と、グラム陽性菌からのエキソプロテイン産生を実質的に抑制するのに有効なイソプレノイド化合物からなる有効量の第１活性成分とを有するエキソプロテイン抑制吸収性物品。
【請求項２】
前記イソプレノイド化合物は、ゲラニオール、シス−テルピン、トランス−テルピン、テルピネオール、アルファ−テルピネン、ベータ−テルピネン、ガンマ−テルピネン、ベータ−ミルセン、ジペンテン、アルファ−ミルセン、メントール、２−メチル−６−メチレン−１，７−オクタジエン、リナロール、アルファ−イオノン、ベータ−イオノン、アルファ−ピネン、ベータ−ピネン、ネロール、カンファー、シトラール、ネロリドール、ファルネソール、フィトール、アルファ−カロテン、ベータ−カロテン、及びリモネンからなる群から選択されることを特徴とする請求項１に記載のエキソプロテイン抑制吸収性物品。
【請求項３】
前記イソプレノイド化合物は、吸収性物品１グラム当り少なくとも約０．０１マイクロモルの量で存在することを特徴とする請求項１に記載のエキソプロテイン抑制吸収性物品。
【請求項４】
Ｃ8−Ｃ18脂肪酸を脂肪族アルコールに連結するエーテル、エステル、アミド、グリコシド、又はアミン結合をもつ有効量の第２活性成分をさらに含み、前記第２活性成分は、グラム陽性菌からのエキソプロテイン産生を実質的に抑制するのに有効であることを特徴とする請求項１に記載のエキソプロテイン抑制吸収性物品。
【請求項５】
前記第２活性成分は、吸収性物品１グラム当り少なくとも約０．０００１ミリモルの量で存在することを特徴とする請求項４に記載のエキソプロテイン抑制吸収性物品。
【請求項６】
グラム陽性菌からのエキソプロテイン産生を実質的に抑制するのに有効なイソプレノイド化合物からなる有効量の第１活性成分が堆積された非吸収性基体からなる、グラム陽性菌からのエキソプロテイン産生を実質的に抑制するために膣内で用いるエキソプロテイン抑制体。
【請求項７】
前記イソプレノイド化合物は、ゲラニオール、シス−テルピン、トランス−テルピン、テルピネオール、アルファ−テルピネン、ベータ−テルピネン、ガンマ−テルピネン、ベータ−ミルセン、ジペンテン、アルファ−ミルセン、メントール、２−メチル−６−メチレン−１，７−オクタジエン、リナロール、アルファ−イオノン、ベータ−イオノン、アルファ−ピネン、ベータ−ピネン、ネロール、カンファー、シトラール、ネロリドール、ファルネソール、フィトール、アルファ−カロテン、ベータ−カロテン、及びリモネンからなる群から選択されることを特徴とする請求項６に記載のエキソプロテイン抑制体。
【請求項８】
前記第１活性成分は、非吸収性物品１グラム当り少なくとも約０．１マイクロモルの量で存在することを特徴とする請求項６に記載のエキソプロテイン抑制体。
【請求項９】
Ｃ8−Ｃ18脂肪酸を脂肪族アルコールに連結するエーテル、エステル、アミド、グリコシド、又はアミン結合をもつ化合物からなる有効量の第２活性成分をさらに含み、前記第２活性成分は、グラム陽性菌からのエキソプロテイン産生を実質的に抑制するのに有効であることを特徴とする請求項６に記載のエキソプロテイン抑制体。
【請求項１０】
前記第２活性成分は、非吸収性物品１グラム当り少なくとも約０．０００１ミリモルの量で存在することを特徴とする請求項９に記載のエキソプロテイン抑制体。
【請求項１１】
製薬上許容可能なキャリアと、イソプレノイド化合物からなる有効量の第１活性成分とからなる、膣内の及び膣周辺のグラム陽性菌からのエキソプロテイン産生を抑制するための膣洗浄組成物であって、前記第１活性成分は、グラム陽性菌からのエキソプロテイン産生を抑制するのに有効であることを特徴とする膣洗浄組成物。
【請求項１２】
前記イソプレノイド化合物は、ゲラニオール、シス−テルピン、トランス−テルピン、テルピネオール、アルファ−テルピネン、ベータ−テルピネン、ガンマ−テルピネン、ベータ−ミルセン、ジペンテン、アルファ−ミルセン、メントール、２−メチル−６−メチレン−１，７−オクタジエン、リナロール、アルファ−イオノン、ベータ−イオノン、アルファ−ピネン、ベータ−ピネン、ネロール、カンファー、シトラール、ネロリドール、ファルネソール、フィトール、アルファ−カロテン、ベータ−カロテン、及びリモネンからなる群から選択されることを特徴とする請求項１１に記載の膣洗浄組成物。
【請求項１３】
約０．２５ミリモル／リットルから約１０ミリモル／リットルまでのイソプレノイド化合物を含むことを特徴とする請求項１１に記載の膣洗浄組成物。
【請求項１４】
Ｃ8−Ｃ18脂肪酸を脂肪族アルコールに連結するエーテル、エステル、アミド、グリコシド、又はアミン結合をもつ有効量の第２活性成分をさらに含み、前記第２活性成分は、グラム陽性菌からのエキソプロテイン産生を実質的に抑制するのに有効であることを特徴とする請求項１１に記載の膣洗浄組成物。
【請求項１５】
約０．２５ミリモル／リットルから約１０ミリモル／リットルまでの第２活性成分を含むことを特徴とする請求項１４に記載の膣洗浄組成物。
【請求項１６】
グラム陽性菌からのエキソプロテイン産生を抑制する方法であって、前記グラム陽性菌を、イソプレノイド化合物からなる有効量の第１活性成分に曝すことを含む方法。
【請求項１７】
前記イソプレノイド化合物は、ゲラニオール、シス−テルピン、トランス−テルピン、テルピネオール、アルファ−テルピネン、ベータ−テルピネン、ガンマ−テルピネン、ベータ−ミルセン、ジペンテン、アルファ−ミルセン、メントール、２−メチル−６−メチレン−１，７−オクタジエン、リナロール、アルファ−イオノン、ベータ−イオノン、アルファ−ピネン、ベータ−ピネン、ネロール、カンファー、シトラール、ネロリドール、ファルネソール、フィトール、アルファ−カロテン、ベータ−カロテン、及びリモネンからなる群から選択されることを特徴とする請求項１６に記載の方法。
【請求項１８】
グラム陽性菌からのエキソプロテイン産生を抑制する方法であって、前記グラム陽性菌を、第２活性成分を含有する有効量の第１活性成分に曝すことを含み、前記第１活性成分は、イソプレノイド化合物からなり、前記第２活性成分は、Ｃ8−Ｃ18脂肪酸を脂肪族アルコールと連結するエーテル、エステル、アミド、グリコシド、又はアミン結合をもつ化合物からなるものであることを特徴とする方法。
【請求項１９】
グラム陽性菌からのエキソプロテイン産生を抑制する方法であって、前記グラム陽性菌を、有効量の第１活性成分と第２活性成分に曝すことを含み、前記第１活性成分は、イソプレノイド化合物からなり、前記第２活性成分は、一般式、すなわち、
Ｒ10−Ｏ−Ｒ11
を有し、式中Ｒ10は、８から約１８までの炭素原子をもつ直鎖又は分枝アルキルか、もしくは直鎖又は分枝アルケニルであり、Ｒ11は、アルコール、ポリアルコキシル化硫酸塩、及びポリアルコキシル化スルホコハク酸塩からなる群から選択されることを特徴とする方法。
【請求項２０】
グラム陽性菌からのエキソプロテイン産生を抑制する方法であって、前記グラム陽性菌を、有効量の第１活性成分と第２活性成分に曝すことを含み、前記第１活性成分は、イソプレノイド化合物からなり、前記第２活性成分は、一般式、すなわち、
Ｈ−（Ｚｎ）−Ｏ−Ｒ14
を有し、式中Ｚは、５又は６つの炭素原子をもつ糖残基であり、ｎは１から６までの整数であり、Ｒ14は、約８から約１８までの炭素原子をもつ直鎖アルキル基であることを特徴とする方法。